(57)【要約】【課題】測定器を使用することなく、ＢＳ／ＣＳ増幅回路の出力レベルが定格となるように調整でき、ＣＡＴＶ増幅回路に影響する歪みの発生を防止する。【解決手段】ＢＳ／ＣＳ、ＣＡＴＶ増幅装置５０は、分波器１３、１４の間にＢＳ／ＣＳ増幅回路２０、ＣＡＴＶ下り増幅回路３０及びＣＡＴＶ上り増幅回路４０を備えている。バンドパスフィルタ６１は、増幅器２５から出力される信号のうち、ＣＡＴＶ上り増幅回路４０に影響を与える１０ＭＨｚ〜５５ＭＨｚの周波数帯域の信号を選択する。バンドパスフィルタ６１により選択された信号は、増幅器６２、６３で増幅された後、検波器６４で検波されて直流信号に変換され、更に直流増幅器６５で増幅されて比較器６６に入力される。比較器６６は、直流増幅器６５の出力信号と基準電圧とを比較し、直流増幅器６５の出力信号が基準電圧を超えると表示器６７に信号を出力して歪みの発生を表示する。【選択図】    図１
2004343545.tif 000002
【特許請求の範囲】
【請求項１】
ＢＳ／ＣＳ増幅回路及びＣＡＴＶ下り／上り増幅回路を備えたＢＳ／ＣＳ、ＣＡＴＶ増幅装置において、前記ＢＳ／ＣＳ増幅回路の出力信号から所定設定帯域の信号を選択するフィルタと、前記フィルタにより選択された信号を検波する検波器と、前記検波器の出力信号を基準電圧と比較して歪みの発生を検出する比較手段と、前記比較手段の出力信号に基づいて歪みの発生を表示する表示手段とを具備したことを特徴とするＢＳ／ＣＳ、ＣＡＴＶ増幅装置。
【請求項２】
ＢＳ／ＣＳ増幅回路及びＣＡＴＶ下り／上り増幅回路を備えたＢＳ／ＣＳ、ＣＡＴＶ増幅装置において、前記ＢＳ／ＣＳ増幅回路の出力信号から所定設定帯域の信号を選択するフィルタと、前記フィルタにより選択された信号を検波する検波器と、前記検波器の出力信号に基づいて前記ＢＳ／ＣＳ増幅回路における信号レベルを調整して歪みの発生を回避する信号レベル調整手段とを具備したことを特徴とするＢＳ／ＣＳ、ＣＡＴＶ増幅装置。
【請求項３】
前記フィルタは、ＣＡＴＶ上り増幅回路と同じ周波数帯域の信号を選択することを特徴とする請求項１又は２に記載のＢＳ／ＣＳ、ＣＡＴＶ増幅装置。
【発明の詳細な説明】
【０００１】
【発明の属する技術分野】
本発明は、集合住宅におけるテレビ共同視聴設備に用いられるＢＳ／ＣＳ、ＣＡＴＶ増幅装置に関する。
【０００２】
【従来の技術】
一般に集合住宅におけるテレビ共同視聴設備には、双方向増幅装置が設けられ、ヘッドエンド装置（図示せず）からＣＡＴＶ線路を介して送られてくるＣＡＴＶ下り信号や、衛星放送受信アンテナで受信したＢＳ／ＣＳ信号を増幅すると共に、ＣＡＴＶ上り信号を増幅している。上記ＣＡＴＶ上り信号の回線は、例えばインターネット回線として使用される。
【０００３】
図２は、上記ＢＳ／ＣＳ信号、ＣＡＴＶ下り／上り信号を増幅する従来のＢＳ／ＣＳ、ＣＡＴＶ増幅装置１０の構成例を示したものである。
図２において、１１は第１の入出力端子で第１の分波器１３に接続されると共に、図示しないが同軸ケーブルによりヘッドエンド装置及び衛星放送受信アンテナに接続される。
【０００４】
上記ヘッドエンド装置は、例えばＶＨＦ、ＵＨＦのテレビ放送を受信し、その受信信号（７０ＭＨｚ〜７７０ＭＨｚ）をＣＡＴＶ線路により上記第１の入出力端子１１に伝送する。上記ヘッドエンド装置は、インターネットシステムの機能を有している。また、上記衛星放送受信アンテナは、ＢＳ放送及びＣＳ放送を受信し、その受信信号をコンバータにより例えば９５０ＭＨｚ〜２６１０ＭＨｚの周波数に変換して上記第１の入出力端子１１に伝送する。上記ヘッドエンド装置から出力されるＶＨＦ、ＵＨＦのテレビ信号は、衛星放送受信アンテナで受信されたＢＳ／ＣＳ信号と混合されて第１の入出力端子１１に入力される。
【０００５】
また、１２は第２の入力端子で第２の分波器１４に接続されると共に図示しないが、同軸ケーブルを介してＴＶ受信機及び端末装置例えばパーソナルコンピュータ（以下、パソコンと称する）に接続される。上記ＴＶ受信機は、例えばＶＨＦ／ＵＨＦ及びＢＳ／ＣＳのＴＶ信号を受信する機能を備え、パソコンはインターネットの機能を備え、１０〜５５ＭＨｚのＣＡＴＶ上り帯域を利用してインターネットの信号を送信する。
【０００６】
そして、上記第１の分波器１３と第２の分波器１４との間には、ＢＳ／ＣＳ増幅回路２０、ＣＡＴＶ下り増幅回路３０、ＣＡＴＶ上り増幅回路４０が並列に設けられる。
【０００７】
上記ＢＳ／ＣＳ増幅回路２０は、例えば９５０ＭＨｚ〜２６１０ＭＨｚの周波数帯域の信号を通過させるバンドパスフィルタ２１、ゲインコントロール回路２２、増幅器２３〜２５、９５０ＭＨｚ〜２６１０ＭＨｚの周波数帯域の信号を通過させるバンドパスフィルタ２６からなり、ＢＳ／ＣＳ信号を増幅する。
【０００８】
上記ＣＡＴＶ下り増幅回路３０は、例えば７０ＭＨｚ〜７７０ＭＨｚの周波数帯域の信号を通過させるバンドパスフィルタ３１、ゲインコントロール回路３２、増幅器３３〜３５、７０ＭＨｚ〜７７０ＭＨｚの周波数帯域の信号を通過させるバンドパスフィルタ３６からなり、ＣＡＴＶ下り信号例えばＶＨＦ、ＵＨＦのＴＶ信号及びインターネットの下り信号を増幅する。
【０００９】
ＣＡＴＶ上り増幅回路４０は、例えば１０ＭＨｚ〜５５ＭＨｚの周波数帯域の信号を通過させるバンドパスフィルタ４１、ゲインコントロール回路４２、増幅器４３〜４５、１０ＭＨｚ〜５５ＭＨｚの周波数帯域の信号を通過させるバンドパスフィルタ４６からなり、ＣＡＴＶ上り信号例えばインターネットの上り信号を増幅する。
【００１０】
上記第１の分波器１３及び第２の分波器１４は、７０ＭＨｚ以上の周波数、すなわちＣＡＴＶ下り増幅回路３０に対する７０ＭＨｚ〜７７０ＭＨｚの周波数及びＢＳ／ＣＳ増幅回路２０に対する９５０ＭＨｚ〜２６１０ＭＨｚの周波数と、５５ＭＨｚ以下の周波数、すなわちＣＡＴＶ上り増幅回路４０に対する１０ＭＨｚ〜５５ＭＨｚの周波数とを分波する。
【００１１】
上記各系統のゲインコントロール回路２２、３２、４２は、例えば増幅器及び可変減衰器を用いて構成され、出力信号のレベルを手動操作により任意に設定できるようになっている。
【００１２】
上記の構成において、衛星放送受信アンテナで受信されたＢＳ／ＣＳ信号は、第１の入出力端子１１を介して第１の分波器１３に入力され、ここで分波された後、ＢＳ／ＣＳ増幅回路２０のバンドパスフィルタ２１で選択され、増幅器２３〜２５で増幅される。この増幅器２３〜２５で増幅されたＢＳ／ＣＳ信号は、バンドパスフィルタ２６で選択された後、第２の分波器１４及び第２の入力端子１２を介してＴＶ受信機へ送られる。
【００１３】
また、ヘッドエンド装置から出力されるＶＨＦ／ＵＨＦのＴＶ信号は、第１の入出力端子１１を介して第１の分波器１３に入力され、ここで分波された後、ＣＡＴＶ下り増幅回路３０のバンドパスフィルタ３１で選択され、増幅器３３〜３５で増幅される。この増幅器３３〜３５で増幅されたＶＨＦ／ＵＨＦのＴＶ信号は、バンドパスフィルタ３６で選択された後、第２の分波器１４及び第２の入力端子１２を介してＴＶ受信機へ送られる。
【００１４】
また、パソコンから出力されるインターネット信号は、第２の入力端子１２を介して第２の分波器１４に入力され、ここで分波された後、ＣＡＴＶ上り増幅回路４０のバンドパスフィルタ４１で選択され、増幅器４３〜４５で増幅される。この増幅器４３〜４５で増幅されたインターネット信号は、バンドパスフィルタ４６で選択された後、第１の分波器１３及び第１の入出力端子１１を介してヘッドエンド装置へ送られる。
【００１５】
上記ＢＳ／ＣＳ、ＣＡＴＶ増幅装置１０は、各帯域毎に過入力による歪み発生を抑えるためにゲインコントロール回路２２、３２、４２を設けて調整できるようにしている。
【００１６】
ＢＳ／ＣＳ増幅回路２０の出力レベルを調整する場合、従来ではスぺクトラムアナライザ、チェッカ等の測定器を用い、出力レベルが定格となるようにゲインコントロール回路２２を調整している。
【００１７】
上記測定器を使用した場合でも、正しく校正されていない場合には測定値が実際のレベルと異なり、正確な調整が期待できない。また、上記測定器は非常に高価なものであるので、工事業者によっては、ゲインコントロール回路２２の調整に際して測定器を使用せずにＴＶ画面から推測して調整している。
【００１８】
このため実際の出力が定格を超え、増幅器から歪みが発生する場合がある。特にＢＳ／ＣＳ増幅回路２０で発生する歪み成分は、各チャンネルの周波数関係から自己帯域内に発生するのではなく、ＣＡＴＶ上り増幅回路４０の帯域に発生し、ＢＳ／ＣＳのＴＶ画像に問題がなくても、ＣＡＴＶ上り増幅回路４０に障害を与える場合がある。
【００１９】
例えばＢＳ５チャンネルの周波数は「１１２６．２ＭＨｚ」であり、ＢＳ７チャンネルの周波数は「１１６４．５６ＭＨｚ」であるので、その差の周波数ｆＣＨ７−５は、
ｆＣＨ７−５＝ＢＳ７−ＢＳ５
＝１１６４．５６ＭＨｚ−１１２６．２ＭＨｚ
＝３８．３６ＭＨｚ
となり、１０ＭＨｚ〜５５ＭＨｚの帯域を持つＣＡＴＶ上り増幅回路４０に障害を与えることになる。
【００２０】
なお、従来、テレビ用ブースタにおいては、アンテナから入力されたテレビ信号の強度を検出し、その信号強度が基準値よりも大きいか否かを判定し、その判定結果を表示部に表示することにより、高価な測定器を使用せずに増幅器の出力レベルを調整できるようにしたものが考えられている（例えば、特許文献１参照。）。
【００２１】
【特許文献１】
特開平９−１３０６８６号公報
【００２２】
【発明が解決しようとする課題】
上記従来のテレビ用ブースタは、アンテナから入力されるテレビ信号（ＶＨＦ、ＵＨＦ）のみを増幅する１系統の増幅器で、自系統において発生する歪みについてのみ考慮した構成となっている。しかし、ＢＳ／ＣＳ、ＣＡＴＶ増幅装置では、多系統の増幅回路を備え、ＢＳ／ＣＳのＴＶ画像に問題がなくても、ＣＡＴＶ上り増幅回路に障害が発生する場合があるので、アンテナから入力されるテレビ信号の増幅系統における歪みの発生を防止しても、ＣＡＴＶ上り増幅回路に影響する歪みの発生を防止することはできない。
【００２３】
本発明は上記の課題を解決するためになされたもので、測定器を使用することなく、ＢＳ／ＣＳ増幅回路の出力レベルが定格となるように調整でき、ＣＡＴＶ増幅回路に影響する歪みの発生を確実に防止し得るＢＳ／ＣＳ、ＣＡＴＶ増幅装置を提供することを目的とする。
【００２４】
【課題を解決するための手段】
本発明は、ＢＳ／ＣＳ増幅回路及びＣＡＴＶ下り／上り増幅回路を備えたＢＳ／ＣＳ、ＣＡＴＶ増幅装置において、前記ＢＳ／ＣＳ増幅回路の出力信号から所定設定帯域の信号を選択するフィルタと、前記フィルタにより選択された信号を検波する検波器と、前記検波器の出力信号を基準電圧と比較して歪みの発生を検出する比較手段と、前記比較手段の出力信号に基づいて歪の発生を表示する表示手段とを具備したことを特徴とする。
【００２５】
上記の構成によれば、ＢＳ／ＣＳ増幅回路において信号の過入力により歪みが発生すると、その歪み成分がフィルタにより選択されて検波器により検波され、その後、比較器にて基準電圧との比較により検出されて表示手段に表示される。従って、上記表示手段により歪み発生を確認でき、測定器を使用することなく、ＢＳ／ＣＳ増幅回路の信号出力レベルが定格となるように調整することが可能となり、ＣＡＴＶ上り増幅回路等に影響する歪みの発生を確実に防止することができる。
【００２６】
【発明の実施の形態】
以下、図面を参照して本発明の一実施形態を説明する。
【００２７】
図１は、本発明の一実施形態に係るＢＳ／ＣＳ、ＣＡＴＶ増幅装置５０の構成を示すブロック図で、図２に示したＢＳ／ＣＳ、ＣＡＴＶ増幅装置１０と同一部分には同一符号を付して詳細な説明は省略する。
【００２８】
上記ＢＳ／ＣＳ、ＣＡＴＶ増幅装置５０は、図２に示したＢＳ／ＣＳ、ＣＡＴＶ増幅装置１０と同様に第１の分波器１３と第２の分波器１４との間にＢＳ／ＣＳ増幅回路２０、ＣＡＴＶ下り増幅回路３０及びＣＡＴＶ上り増幅回路４０を備えている。
【００２９】
上記ＢＳ／ＣＳ増幅回路２０は、バンドパスフィルタ２１、ゲインコントロール回路２２、増幅器２３〜２５、バンドパスフィルタ２６により構成されるが、増幅器２５とバンドパスフィルタ２６との間に分岐器５１を設け、その分岐出力端子にＢＳ／ＣＳ歪み検出回路６０を接続している。
【００３０】
上記ＢＳ／ＣＳ歪み検出回路６０は、例えば１０ＭＨｚ〜５５ＭＨｚの周波数を通過させるバンドパスフィルタ６１、増幅器６２、６３、検波器６４、直流増幅器６５、比較器６６、表示器６７からなっている。上記比較器６６には、基準電圧源６８から基準電圧が与えられる。上記基準電圧源６８は、例えば基準電圧を可変設定する電圧設定手段を備えている。基準電圧源６８から出力される基準電圧は、許容する歪みの信号レベルに応じて予め設定される。
【００３１】
上記バンドパスフィルタ６１は、増幅器２５から出力される信号のうち、ＣＡＴＶ上り増幅回路４０に影響する歪み成分、すなわち、１０ＭＨｚ〜５５ＭＨｚの周波数帯域の信号を選択して出力する。上記バンドパスフィルタ６１により選択された信号は、増幅器６２、６３で増幅された後、検波器６４で検波されて直流信号に変換される。この検波器６４の出力信号は、直流増幅器６５で増幅されて比較器６６に入力される。
【００３２】
上記比較器６６は、直流増幅器６５の出力信号と基準電圧源６８から与えられる基準電圧とを比較し、直流増幅器６５の出力信号が基準電圧を超えると表示器６７に信号を出力する。上記比較器６６は、例えばオペアンプ等を用いて構成される。
【００３３】
上記表示器６７は、例えばＬＥＤランプを使用し、比較器６６から出力される信号によりＬＥＤランプを点灯する。
【００３４】
上記ＢＳ／ＣＳ、ＣＡＴＶ増幅装置５０を集合住宅におけるテレビ共同視聴設備として設置した際、表示器６７の表示状態を見ながらゲインコントロール回路２２を調整し、増幅器２３、２４、２５への入力信号が適正レベルとなるように、すなわち、ＣＡＴＶ上り増幅回路４０の周波数帯である１０ＭＨｚ〜５５ＭＨｚで発生する歪みが基準レベル以下となるように設定する。
【００３５】
上記表示器６７のＬＥＤランプが点灯している状態では、増幅器２３、２４、２５への入力信号が過入力で、１０ＭＨｚ〜５５ＭＨｚの周波数帯で基準レベル以上の歪みが発生しているので、ゲインコントロール回路２２のゲインを低下させ、表示器６７のＬＥＤランプが点灯しないようにする。
【００３６】
上記のように表示器６７のＬＥＤランプが点灯している状態でゲインコントロール回路２２を調整し、ＬＥＤランプを消灯させることで、増幅器２３、２４、２５への入力信号を適切なレベルに設定することができる。
【００３７】
なお、上記実施形態では、表示器６７としてＬＥＤランプを使用した場合について示したが、その他の発光表示体を使用しても良く、更には光の他、音や振動等により歪みの発生状態を報知するようにしても良い。
【００３８】
また、上記実施形態では、ＢＳ／ＣＳ歪み検出回路６０は、バンドパスフィルタ６１によりＣＡＴＶ上り増幅回路４０に対する１０ＭＨｚ〜５５ＭＨｚの周波数帯の信号を取り出して信号レベルを判断するようにしたが、ＢＳ／ＣＳ増幅回路２０と同じ９５０ＭＨｚ〜２６１０ＭＨｚの信号を取り出して信号レベルを判断するようにして良い。ＢＳ／ＣＳ増幅回路２０における９５０ＭＨｚ〜２６１０ＭＨｚの信号レベルが基準値より高い場合には、９５０ＭＨｚ〜２６１０ＭＨｚの周波数帯で歪みが発生すると共に、１０ＭＨｚ〜５５ＭＨｚの周波数帯でも歪みが発生するので、ＢＳ／ＣＳ増幅回路２０における９５０ＭＨｚ〜２６１０ＭＨｚの信号レベルによっても、１０ＭＨｚ〜５５ＭＨｚの周波数帯における歪みの発生状態を推測することが可能である。
【００３９】
更に上記実施形態では、ＢＳ／ＣＳ増幅回路２０におけるゲインコントロール回路２２のゲインを手動により調整する場合について示したが、直流増幅器６５の出力信号あるいは比較器６６の出力信号を用いてゲインコントロール回路２２のゲインを自動的に調整して歪みの発生を回避するようにしても良い。
【００４０】
本発明は、上記実施形態そのままに限定されるものではなく、実施段階ではその要旨を逸脱しない範囲で構成要素を変形して具体化できるものである。
【００４１】
【発明の効果】
以上詳記したように本発明によれば、ＢＳ／ＣＳ増幅回路と共にＣＡＴＶ下り／上り増幅回路を備えたＢＳ／ＣＳ、ＣＡＴＶ増幅装置において、ＢＳ／ＣＳ増幅回路で発生する歪みを検出する歪み検出回路を備えているので、ＢＳ／ＣＳ帯域、ＣＡＴＶ上り帯域等に影響する歪みの発生を検出でき、これにより測定器を使用することなく、ＢＳ／ＣＳ増幅回路の信号出力レベルが定格となるように調整して歪みの発生を確実に防止することができる。
【図面の簡単な説明】
【図１】本発明の一実施形態に係るＢＳ／ＣＳ、ＣＡＴＶ増幅装置の構成を示すブロック図。
【図２】従来のＢＳ／ＣＳ、ＣＡＴＶ増幅装置の構成を示すブロック図。
【符号の説明】
１１、１２…入出力端子
１３、１４…分波器
２０…ＢＳ／ＣＳ増幅回路
２１…バンドパスフィルタ
２２…ゲインコントロール回路
２３〜２５…増幅器
２６…バンドパスフィルタ
３０…ＣＡＴＶ下り増幅回路
３１…バンドパスフィルタ
３２…ゲインコントロール回路
３３〜３５…増幅器
３６…バンドパスフィルタ
４０…ＣＡＴＶ上り増幅回路
４１…バンドパスフィルタ
４２…ゲインコントロール回路
４３〜４５…増幅器
４６…バンドパスフィルタ
５０…ＢＳ／ＣＳ、ＣＡＴＶ増幅装置
５１…分岐器
６０…ＢＳ／ＣＳ歪み検出回路
６１…バンドパスフィルタ
６２、６３…増幅器
６４…検波器
６５…直流増幅器
６６…比較器
６７…表示器
６８…基準電圧源
【図１】
2004343545.tif 000003
【図２】
2004343545.tif 000004